(57)【要約】【課題】情報を表示する場所で他の装置を用いずに表示する情報を切り換えることができる情報表示システム、情報表示装置、管理サーバ装置及び電子棚札を提供する。【解決手段】電子棚札１０は、ユーザーの操作に応じて入力された情報を取得して通信回線を通じて通知する。電子棚札管理サーバ５０は、通知された情報に応じて、情報表示装置に表示させる表示情報を生成する。また、電子棚札管理サーバ５０は、電子棚札１０が取得した情報を、自装置が行う少なくとも１つの処理を制御する制御権に対応する認証情報として判定するとともに、その認証情報に基づいて許可される制御権に応じて情報表示装置に表示する表示情報を生成する。【選択図】図１
2011086257.tif 000002
【特許請求の範囲】
【請求項１】
管理サーバ装置と、該管理サーバ装置から通信回線を通じて送付される表示情報を表示する情報表示装置を含んだ情報表示システムであって、
ユーザーの操作に応じて入力された情報を取得して前記通信回線を通じて通知する情報表示装置と、
前記通知された情報に応じて、前記情報表示装置に表示させる表示情報を生成する管理サーバ装置と、
を備え、
前記管理サーバ装置は、
前記情報表示装置が取得した情報を、自装置が行う少なくとも１つの処理を制御する制御権に対応する認証情報として判定するとともに、該認証情報に基づいて許可される制御権に応じて前記情報表示装置に表示する表示情報を生成する
ことを特徴とする情報表示システム。
【請求項２】
前記管理サーバ装置は、
前記情報表示装置が取得した情報を、前記表示情報を生成する表示指示情報として判定するとともに、該表示指示情報に応じて前記情報表示装置に送付する表示情報を生成する
ことを特徴とする請求項１に記載の情報表示システム。
【請求項３】
前記情報表示装置は、
前記認証情報と前記表示指示情報とを選択的に取得する情報取得部を
備えることを特徴とする請求項１又は請求項２に記載の情報表示システム。
【請求項４】
前記情報表示装置は、
文字情報、数値情報、及び、該文字情報又は該数値情報に対応した識別図形を表示する画面と、前記情報を取得するための入力表示画面とを切り換えて表示する表示部
を備えることを特徴とする請求項１から請求項３のいずれかに記載の情報表示システム。
【請求項５】
前記情報表示装置は、
前記認証情報と前記表示指示情報とを選択的に取得するための画面を前記表示部に表示する
ことを特徴とする請求項１から請求項４のいずれかに記載の情報表示システム。
【請求項６】
前記情報表示装置が取得した情報は、
前記管理サーバ装置が行う処理を許可するか否かを判定する認証情報とする
ことを特徴とする請求項１から請求項５のいずれかに記載の情報表示システム。
【請求項７】
前記制御権の適用は、
前記情報表示装置ごとか、グループ化された前記情報表示装置のグループごとか、又は、全ての前記情報表示装置を一括とするかを選択して定められる
ことを特徴とする請求項１から請求項６のいずれかに記載の情報表示システム。
【請求項８】
前記管理サーバ装置は、
前記グループ化された情報表示装置に表示する画面を、前記表示指示情報に応じてまとめて切り換える
ことを特徴とする請求項１から請求項７のいずれかに記載の情報表示システム。
【請求項９】
請求項１から請求項８のいずれかに記載の情報表示システムの管理サーバ装置から通信回線を通じて送付される表示情報を表示する情報表示装置であって、
ユーザーの操作に応じて入力された情報を取得する情報取得部と、
前記取得した情報を送信し、前記表示情報を受信する通信部と、
前記管理サーバ装置から受信した表示情報に応じて表示を切り換える表示部と、
を備えることを特徴とする情報表示装置。
【請求項１０】
前記情報取得部は、
前記ユーザーの操作に応じて検出された位置又は回数に応じた情報を取得し、
前記表示部は、
前記検出された位置又は回数を示す情報を表示する
ことを特徴とする請求項９に記載の情報表示装置。
【請求項１１】
通信回線を通じて送付される表示情報を情報表示装置に表示させる管理サーバ装置であって、
前記情報表示装置から送信された情報を受信して、前記情報表示装置に前記表示情報を送信する通信部と、
前記受信した情報に応じて、自装置が行う少なくとも１つの処理を制御する制御権に対応する認証情報として判定するとともに、該認証情報に基づいて許可される制御権に応じて前記情報表示装置に表示する表示情報を予め記憶された記憶情報に基づいて生成する制御部と、
を備えることを特徴とする管理サーバ装置。
【請求項１２】
請求項９または１０に記載の情報表示装置を備えることを特徴とする電子棚札。
【発明の詳細な説明】
【技術分野】
【０００１】
本発明は、要求に応じて情報を表示する情報表示システム、情報表示装置、管理サーバ装置及び電子棚札に関する。
【背景技術】
【０００２】
情報表示装置は、仕分けされた物の近傍にそれぞれ配置して、その物の名称やその物に係る情報を提供する目的で利用される。このような情報表示装置を利用する一形態に電子棚札がある。電子棚札は、表示する情報を変更する際に棚札を付け替える労力を軽減すること等を目的として、商品の名称や価格等を表示して、スーパーマーケットなどの販売店で利用される。
複数の電子棚札は、表示する情報を一元的に管理する管理サーバ装置によって表示が切り換えられる。複数の電子棚札と、管理サーバ装置とを含んだ電子棚札管理システム（情報表示システム）は、各電子棚札の表示を一元的に管理することができる。電子棚札管理システムが適用された販売店では、電子棚札は売り場に配置され、管理サーバ装置は一般的にバックヤードに配置される。
電子棚札が配置された売り場で行う作業により、電子棚札に表示する情報を切り換えられる電子棚札管理システムがある。電子棚札に表示する情報の切り換えは、電子棚札を操作する画面切替用リモコン装置を操作することによって行われる。この画面切替用リモコン装置を操作することにより、電子棚札装置を管理する管理サーバ装置を直接操作することなく、電子棚札に表示する情報を切り換えることができる（例えば、特許文献１参照）。
【先行技術文献】
【特許文献】
【０００３】
【特許文献１】特許３６０３７７８号公報
【発明の概要】
【発明が解決しようとする課題】
【０００４】
しかしながら、特許文献１では、管理サーバ装置を直接操作せずに、電子棚札に表示する情報を切り換えることができるものの、画面切替用リモコン装置が必要となる。すなわち、電子棚札が配置される売り場に画面切替用リモコン装置が用意されていない場合では、電子棚札に表示する情報を切り換えることができないことから、電子棚札に表示している情報を変更することが必要と管理者が判断した場合であっても画面切替用リモコン装置がないと変更することができず、画面切替用リモコン装置を用意する手間が発生していた。
また、電子棚札が配置される売り場に画面切替用リモコン装置が用意された場合であっても、他の手段を用いることなく商品に関する在庫情報、売上情報などの情報を売り場から参照することができず、在庫管理などに必要とされる情報に基づいた判断にしたがって電子棚札の表示を切り換えることができなかった。
電子棚札を例にして示したが、情報を表示する情報表示装置と、情報表示装置に表示する情報を提供する管理サーバ装置とは異なる場所に配置されることが多い。これまでの情報表示装置（電子棚札）では、他の装置を用いずに表示する情報の切り替えが行えないという問題がある。
【０００５】
本発明は、上記問題を解決すべくなされたもので、その目的は、情報を表示する場所で他の装置を用いずに表示する情報を切り換えることができる情報表示システム、情報表示装置、管理サーバ装置及び電子棚札を提供することにある。
【課題を解決するための手段】
【０００６】
上記問題を解決するために、本発明は、管理サーバ装置と、該管理サーバ装置から通信回線を通じて送付される表示情報を表示する情報表示装置を含んだ情報表示システムであって、ユーザーの操作に応じて入力された情報を取得して前記通信回線を通じて通知する情報表示装置と、前記通知された情報に応じて、前記情報表示装置に表示させる表示情報を生成する管理サーバ装置と、を備え、前記管理サーバ装置は、前記情報表示装置が取得した情報を、自装置が行う少なくとも１つの処理を制御する制御権に対応する認証情報として判定するとともに、該認証情報に基づいて許可される制御権に応じて前記情報表示装置に表示する表示情報を生成することを特徴とする情報表示システムである。
【０００７】
また、本発明は、上記発明において、前記管理サーバ装置は、前記情報表示装置が取得した情報を、前記表示情報を生成する表示指示情報として判定するとともに、該表示指示情報に応じて前記情報表示装置に送付する表示情報を生成することを特徴とする。
【０００８】
また、本発明は、上記発明において、前記情報表示装置は、前記認証情報と前記表示指示情報とを選択的に取得する情報取得部を備えることを特徴とする。
【０００９】
また、本発明は、上記発明において、前記情報表示装置は、文字情報、数値情報、及び、該文字情報又は該数値情報に対応した識別図形を表示する画面と、前記情報を取得するための入力表示画面とを切り換えて表示する表示部を備えることを特徴とする。
【００１０】
また、本発明は、上記発明において、前記情報表示装置は、前記認証情報と前記表示指示情報とを選択的に取得するための画面を前記表示部に表示することを特徴とする。
また、本発明は、上記発明において、前記情報表示装置が取得した情報は、前記管理サーバ装置が行う処理を許可するか否かを判定する認証情報とすることを特徴とする。
【００１１】
また、本発明は、上記発明において、前記制御権の適用は、前記情報表示装置ごとか、グループ化された前記情報表示装置のグループごとか、又は、全ての前記情報表示装置を一括とするかを選択して定められることを特徴とする。
また、本発明は、上記発明において、前記管理サーバ装置は、前記グループ化された情報表示装置に表示する画面を、前記表示指示情報に応じてまとめて切り換えることを特徴とする。
【００１２】
また、本発明は、上記発明のいずれかに記載の情報表示システムの管理サーバ装置から通信回線を通じて送付される表示情報を表示する情報表示装置であって、ユーザーの操作に応じて入力された情報を取得する情報取得部と、前記取得した情報を送信し、前記表示情報を受信する通信部と、前記管理サーバ装置から受信した表示情報に応じて表示を切り換える表示部と、を備えることを特徴とする情報表示装置である。
【００１３】
また、本発明は、上記発明において、前記情報取得部は、前記ユーザーの操作に応じて検出された位置又は回数に応じた情報を取得し、前記表示部は、前記検出された位置又は回数を示す情報を表示することを特徴とする。
【００１４】
また、本発明は、通信回線を通じて送付される表示情報を情報表示装置に表示させる管理サーバ装置であって、前記情報表示装置から送信された情報を受信して、前記情報表示装置に前記表示情報を送信する通信部と、前記受信した情報に応じて、自装置が行う少なくとも１つの処理を制御する制御権に対応する認証情報として判定するとともに、該認証情報に基づいて許可される制御権に応じて前記情報表示装置に表示する表示情報を予め記憶された記憶情報に基づいて生成する制御部と、を備えることを特徴とする管理サーバ装置である。
【００１５】
また、本発明は、上記発明に記載のいずれかの情報表示装置を備えることを特徴とする電子棚札である。
【発明の効果】
【００１６】
この本発明によれば、情報表示装置は、ユーザーの操作に応じて入力された情報を取得して通信回線を通じて通知する。管理サーバ装置は、通知された情報に応じて、情報表示装置に表示させる表示情報を生成する。また、管理サーバ装置は、情報表示装置が取得した情報を、自装置が行う少なくとも１つの処理を制御する制御権に対応する認証情報として判定するとともに、その認証情報に基づいて許可される制御権に応じて情報表示装置に表示する表示情報を生成する。
これにより、情報を表示する情報表示装置が配置される場所で、他の装置を用いずに表示する情報を切り換えることができる。
【図面の簡単な説明】
【００１７】
【図１】本実施形態による情報表示システムを示す概略ブロック図である。
【図２】同実施形態における電子棚札１０を示す概略ブロック図である。
【図３】同実施形態における電子棚札管理サーバの概略構成を示すブロック図である。
【図４】同実施形態における記憶部５５に記憶される情報に含まれる商品テーブルのデータ構成及びデータ例を示す概略図である。
【図５】同実施形態における記憶部５５に記憶される情報に含まれるＥＳＬグループテーブルのデータ構成及びデータ例を示す概略図である。
【図６】同実施形態における記憶部５５に記憶される情報に含まれる認証コードテーブルのデータ構成及びデータ例を示す概略図である。
【図７】同実施形態における電子棚札１０に表示する通常表示画面を示す。
【図８】同実施形態における電子棚札１０に表示する認証コード入力画面を示す。
【図９】同実施形態における電子棚札１０に表示する認証コード入力中の画面を示す。
【図１０】同実施形態における電子棚札１０に表示するＥＳＬ操作画面を示す。
【図１１】同実施形態における電子棚札１０に表示する売上表示画面を示す。
【図１２】同実施形態における電子棚札における処理を示すフローチャートである。
【図１３】同実施形態における電子棚札管理サーバにおける処理を示すフローチャートである。
【図１４】第２実施形態における電子棚札１０に表示する売上表示画面を示す。
【図１５】同実施形態における電子棚札における処理を示すフローチャートである。
【図１６】同実施形態における電子棚札管理サーバにおける処理を示すフローチャートである。
【図１７】第３実施形態における大型電子棚札２０に表示する通常表示画面を示す。
【図１８】同実施形態における大型電子棚札２０に表示する認証コード入力画面を示す。
【図１９】同実施形態における大型電子棚札２０に表示する大型ＥＳＬ操作画面を示す。
【図２０】同実施形態における大型電子棚札２０に表示する売上表示画面を示す。
【図２１】第４実施形態における記憶部５５に記憶される情報に含まれる従業員認証テーブルのデータ構成及びデータ例を示す概略図である。
【図２２】第５実施形態における電子棚札１０ａに表示する通常表示画面を示す。
【図２３】同実施形態における電子棚札１０ａに表示する在庫数量入力画面を示す。
【図２４】同実施形態における電子棚札１０ａに表示する発注作業画面を示す。
【図２５】同実施形態における大型電子棚札２０ａに表示する通常表示画面を示す。
【発明を実施するための形態】
【００１８】
以下、本発明の一実施形態による情報表示システムについて図面を参照して説明する。
（第１実施形態）
図１は、本実施形態による情報表示システムを示す概略ブロック図である。この情報表示システム１をスーパーマーケットなどの販売店で利用される電子棚札に適用した形態を例示する。
図に示される情報表示システム１は、ＰＯＳレジスター装置（ＰＯＳレジ）７０が接続されたストアサーバ６０に接続され、電子棚札１０及び大型電子棚札２０に表示する商品の単品管理情報をストアサーバ６０から取得する。
ストアサーバ６０は、商品の単品管理情報として、それぞれの単価情報、在庫情報、売上情報を含んだ情報を管理する。また、ストアサーバ６０は、販売時点管理システムのサーバ機能（ＰＯＳサーバ機能）を備え、売上情報をリアルタイムに集計する。ＰＯＳレジスター装置７０は、販売処理に用いるレジスター端末であり、ストアサーバ６０のＰＯＳサーバ機能に対応して単価情報の更新が行われ、ストアサーバ６０に販売情報を通知する。
【００１９】
情報表示システム１は、複数の電子棚札１０、大型電子棚札２０、中継器３０、無線ＬＡＮアクセスポイント４０、電子棚札管理サーバ５０及びハンディ端末９０を備える。
電子棚札１０は、電子棚札管理サーバ５０から送信された表示情報を受信して、受信した表示情報に応じた表示を行う。
電子棚札１０は、関連する複数の電子棚札１０をまとめたグループを定義することができる。図に示される電子棚札１０−Ａ１から電子棚札１０−Ａｍは、グループ１０−Ａとして定義されていることを示し、１０−Ｂ１から電子棚札１０−Ｂｎは、グループ１０−Ｂとして定義されていることを示す。
【００２０】
図２は、電子棚札１０を示す概略ブロック図である。
電子棚札１０は、無線通信部１１、入力装置部１２、ＬＣＤ表示部１３、メモリ１４及びＣＰＵ１５を備える。
無線通信部１１は、中継器３０（あるいは無線ＬＡＮアクセスポイント４０）からの電波を受信して、受信情報に変換する。また、無線通信部１１は、供給される送信情報を電波に変換して送信する。
入力装置部(情報取得部)１２は、ユーザーの操作に応じて入力された情報（操作情報）を検出する。例えば、ユーザーの操作による操作情報には、認証情報や表示指示情報などがあり、入力装置部１２は、設定される状態に応じて、入力される情報を選択的に取得する。
入力装置部１２は、ユーザーの接触を検出するスイッチや、ＬＣＤ表示部１３の表面に配置されるタッチパネルとすることができる。
なお、入力装置部１２は、振動を検出する振動センサーや加速度センサーであってもよい。さらに、入力装置部１２は、ユーザーの動作を非接触で検出する近接センサーや光学的な変化を検出する光学センサー（フォトダイオード、太陽電池など）や撮像デバイスを用いて検出しても良い。
入力装置部１２は、ユーザーの操作に応じて入力された情報を検出した位置、回数又は作用力の向きなどの物理量に応じた情報を取得可能であればよい。
【００２１】
ＬＣＤ表示部１３は、供給された表示情報を表示する。例えば、ＬＣＤ表示部１３は、記憶型液晶表示回路を備えることにより、表示情報を変更する場合以外の消費電力を低減する。なお、ＬＣＤ表示部１３は、表示部用の照明を設けないことにより省電力化が図れるが、必要に応じて照明を設けてもよい。
また、ＬＣＤ表示部１３は、入力装置部１２によって検出された位置又は回数を示す情報を表示することにより、操作性を高めることが可能となる。
メモリ１４は、半導体メモリ装置などで構成される記憶部である。メモリ１４は、ＣＰＵ１５が行う各種処理のプログラムや、そのプログラムの実行に必要とされる各種変数、ＬＣＤ表示部１３に表示する表示画面の情報、入力装置部１２の入力処理に対応する入力表示画面の情報を記憶する。
【００２２】
ＣＰＵ１５は、メモリ１４に記憶された、電子棚札１０を機能させる制御プログラムの手順にしたがった各種処理を実行する。ＣＰＵ１５において実行される各種処理は、通信処理部１５１、入力処理部１５２、表示処理部１５３がその各種処理を実行する。
通信処理部１５１は、無線通信部１１が変換した受信情報を取得しメモリ１４に記録する。また、通信処理部１５１は、メモリ１４に記録された送信情報を取得して無線通信部１１に供給して送信させる。
入力処理部１５２は、入力装置部１２が検出した操作情報を取得し、メモリ１４に記録する。記録された操作情報は、通信処理部１５１によって送信情報として送信される。
なお、入力装置部１２は、入力装置部１２が検出した物理量を記録するだけでなく、時系列に応じて変化する物理量を判定し、コードに変換するコード化処理をしても良い。
表示処理部１５３は、メモリ１４に記憶された表示情報を参照し、その表示情報をＬＣＤ表示部１３に表示させる。表示処理部１５３が表示させる画面については、後述することにする。
【００２３】
図１に戻り、大型電子棚札２０は、電子棚札１０より広い表示部を備え、電子棚札１０より多くの情報を表示できる電子棚札である。大型電子棚札２０の構成は、図２に示した電子棚札１０の概略構成を参照する。図に示される大型電子棚札２０は、グループ１０−Ｂに含まれるものとする。
中継器３０は、無線ＬＡＮアクセスポイント４０と電子棚札１０、又は、無線ＬＡＮアクセスポイント４０と大型電子棚札２０との通信を中継する中継装置である。図に示される中継器３０−Ａと３０−Ｂは、それぞれ電子棚札１０のグループ１０−Ａと１０−Ｂに対しての通信を中継する。
【００２４】
無線ＬＡＮアクセスポイント４０は、電子棚札管理サーバ５０に通信回線で接続され、電子棚札管理サーバ５０から送信された情報を無線ＬＡＮ回線で接続される中継装置３０で中継して電子棚札１０（又は大型電子棚札２０）に送信する。また、無線ＬＡＮアクセスポイント４０は、電子棚札１０（又は大型電子棚札２０）から送信され、中継装置３０で中継された情報を受信して電子棚札管理サーバ５０に送信する。
【００２５】
電子棚札管理サーバ５０は、電子棚札１０（又は大型電子棚札２０）に表示する情報を生成し、電子棚札１０（又は大型電子棚札２０）に向け送信する。電子棚札管理サーバ５０は、電子棚札１０（又は大型電子棚札２０）の入力装置部１２に入力された情報を受信して、その情報に応じて表示する情報を生成し、電子棚札１０（又は大型電子棚札２０）に向け送信する。電子棚札管理サーバ５０は、電子棚札１０（又は大型電子棚札２０）に表示する情報を生成する際に、ストアサーバ６０から取得した情報、及び、予め登録された電子棚札１０（又は大型電子棚札２０）の管理情報を参照して、表示する画面情報を生成する。
【００２６】
また、電子棚札管理サーバ５０は、電子棚札１０（又は大型電子棚札２０）からの要求を受け付けることが妥当であるか否かを判定する認証処理を行う。つまり、電子棚札１０（又は大型電子棚札２０）が取得した情報は、電子棚札管理サーバ５０が行う処理を許可するか否かを判定する認証情報となる。この認証処理により許可された場合に限り、電子棚札１０（又は大型電子棚札２０）からの要求を受け付ける。
さらに、電子棚札管理サーバ５０は、保持している情報への参照や変更を許可するための認証処理を行う。その認証処理では、電子棚札１０（又は大型電子棚札２０）が取得した情報は、電子棚札管理サーバ５０が行う少なくとも１つの処理を制御する制御権に対応する認証情報となる。ここでいう制御権とは、条件に応じて設定できる認証レベルのことである。この認証レベルを用いることにより、重要な情報への参照や変更を制限し、必要とされる要求であるか否かを判断して情報を提供する。電子棚札管理サーバ５０は、認証情報に基づいて許可される制御権に応じて電子棚札１０（又は大型電子棚札２０）に表示する表示情報を生成する。
なお、電子棚札管理サーバ５０は、要求を許可するか否かを判定するための認証処理と、条件に応じて設定する認証レベルを判定するための認証処理を、共通の認証コードを用いることにより１回の入力操作で入力された認証コードに基づいて行う。すなわち、電子棚札管理サーバ５０は、共通の認証コード（認証情報）に基づいて、許可される制御権を判定することにより、その判定結果に応じて情報表示装置に表示する表示情報を生成することができる。さらに、その認証コードを用いて電子棚札１０（又は大型電子棚札２０）の表示する画面の生成処理の制御を許可するか否かを判定することができる。すなわち、電子棚札管理サーバ５０は、認証情報と表示指示情報とを選択的に取得するための画面を生成し、電子棚札１０（又は大型電子棚札２０）のＬＣＤ表示部１３に表示させることができる。
ハンディ端末９０は、個別の商品と電子棚札１０（又は大型電子棚札２０）を関係付けるリンク処理を行う以外に、電子棚札１０及び大型電子棚札２０のグループ化させるための登録処理を行う。ハンディ端末９０は、電子棚札１０に表示される（又は貼り付けられた）バーコードを検出し、検出したバーコードの情報を内部に備える記憶部に記憶して、電子棚札管理サーバ５０にまとめて転送する。なお、電子棚札１０に表示される情報は、バーコードに限らず、ＱＲコードのような他の幾何学的な情報であっても良い。
【００２７】
図を参照し、電子棚札管理サーバの概略構成について示す。
図３は、電子棚札管理サーバの概略構成を示すブロック図である。
図に示される電子棚札管理サーバ５０は、通信部５１、５２、５３、入出力部５４、記憶部５５及び制御部５６を備える。
通信部５１は、ストアサーバ６０に選択的に接続する通信回線を収容する。
通信部５２は、無線ＬＡＮアクセスポイント４０に接続する通信回線を収容する。
通信部５３は、ハンディ端末９０に接続する通信回線を収容する。
入出力部５４は、情報表示システム１に必要とされる情報を登録するための情報入力と情報表示を行う。入出力部５４は、入力された入力情報を変換する。また、入出力部５４は、制御部５６に供給される情報画面を表示する。
【００２８】
記憶部５５は、半導体メモリ及びハードディスクなどにより構成され、制御部５６が行う各種処理のプログラムや、そのプログラムの実行に必要とされる各種変数をはじめ、情報表示システム１に必要とされる情報を各書き換え容易に記憶する。
記憶部５５は、通信部５１を介してストアサーバ６０から取得した情報、通信部５２を介して電子棚札１０（大型電子棚札２０）から取得した情報、通信部５３を介してハンディ端末９０から取得した情報、入出力部５４が変換した情報、及び、画面構成を定めるテンプレート情報を記憶する。
【００２９】
制御部５６は、記憶部５５に記憶された、電子棚札管理サーバ５０を機能させるプログラムの手順にしたがった各種処理を実行する。制御部５６は、通信処理部５６１、５６２、５６３、入出力処理部５６４、認証処理部５６５、表示画面生成部５６６の各種処理を実行する。
【００３０】
通信処理部５６１は、通信部５１がストアサーバ６０から取得した情報を記憶部５５に記憶される売上情報テーブルに記録する。また、通信処理部５６１は、記憶部５５に記録された送信情報を取得して通信部５１に供給して送信させる。
通信処理部５６２は、通信部５２が無線ＬＡＮアクセスポイント４０を介して取得した情報を記憶部５５に記録する。また、通信処理部５６２は、記憶部５５に記録された画面情報、画面制御情報を取得して通信部５２に供給して送信させる。
通信処理部５６３は、通信部５３がハンディ端末９０から取得した情報を記憶部５５に記憶される商品テーブルの「グループフラグ」に記録する。また、通信処理部５６３は、記憶部５５に記録された送信情報を取得して通信部５３に供給して送信させる。
【００３１】
入出力処理部５６４は、入出力部５４が検出した情報入力に基づいて、情報表示システム１に必要とされる情報を登録するための情報入力と情報表示を行う。また、入出力処理部５６４は、入力された入力情報を変換する。また、入出力部５４は、制御部５６から供給される情報画面を表示する。
【００３２】
認証処理部５６５は、電子棚札１０（又は大型電子棚札２０）が取得した認証情報（認証コード）に基づいて、予め記憶部５５に記憶された認証コードと対比して、登録されている認証コードと一致した場合に、取得した認証情報が有効であると判断して、電子棚札１０に入力された要求を許可する。また、情報を参照及び変更する権限を階層化することにより、認証コードに応じて許可する範囲を定めることができる。認証処理部５６５は、定められた認証コードに応じて許可する範囲にしたがって、電子棚札１０（又は大型電子棚札２０）が取得した認証情報に応じて参照及び変更する権限を判定する。
【００３３】
表示画面生成部５６６は、記憶部５５に記憶された情報と表示画面のテンプレートを参照し、電子棚札１０及び大型電子棚札２０の画面をそれぞれ生成する。生成された表示画面の情報は、対応する電子棚札１０及び大型電子棚札２０と対応付けされて記憶部５５に記録される。
【００３４】
次に、記憶部５５に記憶される情報について説明する。
図４は、記憶部５５に記憶される情報に含まれる商品テーブルのデータ構成及びデータ例を示す概略図である。
図に示すように、商品テーブルは、行と列からなる２次元の表形式のデータであり、「ＥＳＬ装置コード」、「商品コード」、「商品名」、「販売価格」、「グループフラグ」、「説明情報」及び、「記事」の各項目の列を有している。この商品テーブルの主キーは、「ＥＳＬ装置コード」である。商品テーブルの各行は、電子棚札１０及び大型電子棚札２０（以下、まとめて示す場合は、「ＥＳＬ」という。）ごとに存在する。「ＥＳＬ装置コード」は、ＥＳＬを一意に識別するための情報であり、装置ごとに振られた番号である。「商品コード」は、各ＥＳＬに対応付けられた商品を一意に識別するための情報であり、商品ごとに振られた番号である。「商品名」は、各ＥＳＬに対応付けられた商品の名称である。「販売価格」は、各ＥＳＬに対応付けられた商品の販売価格（単価）である。「グループフラグ」は、各ＥＳＬをグループ化して処理するか否かを示すフラグであり、この列に示される値が「１」であればグループ化処理を行い、「０」であればグループ化処理を行わないことを示す。
【００３５】
「説明情報」は、対応する商品の仕様などを示す情報である。この列に記憶されている情報は、電子棚札１０に表示される。「記事」は、商品の販売情報を説明する記事を示す情報である。この列に記憶されている情報は、大型電子棚札２０に表示される。
例えば、「ＥＳＬ装置コード（２００１）」の設定に対応する電子棚札１０では、「商品コード（Ｂ１０１）」に対応付けられる「商品名（オレンジジュース）」の商品の情報として「販売価格（１５８）」が設定され、グループ化処理が必要と設定されたことを示す。また、この商品を説明する情報として「説明情報（５００ｍｌ）」が登録され、電子棚札１０に表示される。さらに、この商品の記事として「記事（お一人様２本まで）」が登録され、大型電子棚札２０に表示される。
【００３６】
図５は、記憶部５５に記憶される情報に含まれるＥＳＬグループテーブルのデータ構成及びデータ例を示す概略図である。
図に示すように、ＥＳＬグループテーブルは、行と列からなる２次元の表形式のデータであり、「グループコード」及び「ＥＳＬ装置コード」の各項目の列を有している。このＥＳＬグループテーブルの主キーは、「ＥＳＬ装置コード」である。ＥＳＬグループテーブルの各行は、グループ化処理を行うＥＳＬごとに存在する。ＥＳＬグループテーブルは、データの値によって他のテーブルと関連付けられる。「グループコード」は、グループ化されたＥＳＬのグループを一意に識別するための情報である。「ＥＳＬ装置コード」は、ＥＳＬを一意に識別する情報であり、装置ごとに振られた番号である。
例えば、「ＥＳＬ装置コード（２００１〜２００４）」に設定された各ＥＳＬは、「グループコード（ＡＨ）」によって示されるグループでグループ化され、「ＥＳＬ装置コード（２０２１〜２０２３）」に設定された各ＥＳＬは、「グループコード（ＢＨ）」によって示されるグループでグループ化されて設定されたことを示す。
【００３７】
図６は、記憶部５５に記憶される情報に含まれる認証コードテーブルのデータ構成及びデータ例を示す概略図である。
図に示すように、認証コードテーブルは、行と列からなる２次元の表形式のデータであり、「認証レベル」、「認証コード」、「売上」、「発注」及び「在庫」の各項目の列を有している。このテーブルの主キーは、「認証コード」である。認証コードテーブルの各行は、設定された「認証コード」ごとに存在する。「認証レベル」は、登録されている情報への参照を許可するレベルを示し、ここでは３つのレベルを設定する。その３つのレベルは、「Ｈ」が最も重要なレベルとし、「Ｍ」が中間のレベルとし、「Ｌ」が最も低いレベルとする。「認証コード」は、人又は同じ職種の人を一意に識別するための情報である。「売上」、「発注」及び「在庫」は、参照を許可する情報種別であり、この列に示される値が「１」であればその情報への参照を許可し、「０」であればその情報への参照を禁止することを示す。
例えば、「認証コード（２２８８４４）」を指定する人には、「認証レベル（Ｍ）」として判定し、「発注」及び「在庫」の情報への参照を許可するが、「売上」の情報への参照を禁止することを示す。
【００３８】
本実施形態による売上情報テーブルは、販売店で扱う物品についての売上情報を管理する。このテーブルで管理される情報は、ストアサーバ６０から取得するデータである。
売上情報テーブルは、行と列からなる２次元の表形式のデータであり、「商品コード」、「商品名称」及び「売上額」の各項目の列を有している。この売上情報テーブルの主キーは、商品コードである。売上情報テーブルの各行は、管理する商品ごとに存在する。「商品コード」は、商品を一意に識別するための情報である。「売上額」は、毎日の日付に関係付けられた記憶される商品ごとの売上額である。
本実施形態による在庫情報テーブルは、販売店で扱う物品についての在庫情報を管理する。このテーブルで管理される情報は、ストアサーバ６０から取得するデータである。
在庫情報テーブルは、行と列からなる２次元の表形式のデータであり、「商品コード」、「商品名称」及び「在庫数量」の各項目の列を有している。この在庫情報テーブルの主キーは、商品コードである。在庫情報テーブルの各行は、管理する商品ごとに存在する。「商品コード」は、商品を一意に識別する情報である。「在庫数量」は、商品の在庫数である。
【００３９】
図を参照し電子棚札１０に表示する表示画面の構成例を示す。
図７は、電子棚札１０に表示する通常表示画面を示す。
この図に示される画面Ｅ１１０は、電子棚札１０のＬＣＤ表示部１３に表示される画面であり、棚札として用いる場合の通常表示画面である。画面Ｅ１１０には、商品名称Ｅ１１１、バーコードＥ１１２、単価情報Ｅ１１３、説明情報Ｅ１１４が同一の画面に配置される。
商品名称Ｅ１１１は、電子棚札１０に対応する商品の商品コードにしたがって生成され、この例では「オレンジジュース」が表示される。バーコードＥ１１２は、商品コードに応じて生成されたバーコードが表示される。このバーコード１１２は、ハンディ端末９０を用いて読み取らせることができる。
単価情報Ｅ１１３は、「１５８円」が表示される。説明情報Ｅ１１４は、「５００ｍｌ」が表示される。
通常表示画面の生成では、電子棚札管理サーバ５０における表示画面生成部５６６が、記憶部５５に記憶された商品テーブルを参照して、登録されている電子棚札１０ごとの画面Ｅ１１０を予め定められたテンプレートにしたがって生成する。制御部５６は、生成された画面の情報を、対応する電子棚札１０に送信する。
【００４０】
図８は、電子棚札１０に表示する認証コード入力画面を示す。
この図に示される画面Ｅ１２０は、電子棚札１０のＬＣＤ表示部１３に表示される画面であり、棚札として用いる場合の通常表示画面（画面Ｅ１１０）から切り換えられた、認証コード入力画面である。画面Ｅ１２０には、見出しＥ１２１、入力ボタン表示Ｅ１２２、入力状態表示部Ｅ１２３、及び認証処理登録キーＥ１２４が同一の画面内に配置される。
見出しＥ１２１は、この電子棚札１０が認証コード入力状態を示し、この図では「認証コード入力」が表示される。入力ボタン表示Ｅ１２２は、認証コードを入力するテンキー（「０」〜「９」）と「訂正」キーが表示される。入力状態表示部Ｅ１２３は、入力されたコードの桁数に応じた「●」印が表示される。認証処理登録キーＥ１２４は、入力された認証コードに基づいた認証要求を行うキーである。
【００４１】
図９は、電子棚札１０に表示する認証コード入力中の画面を示す。
この図では、４桁の数字が入力された状態を示す。
この認証コード入力画面において、ユーザーは、画面Ｅ１２０に表示される入力ボタン表示Ｅ１２２のテンキー部を操作して、認証コードを入力する。入力状態表示部Ｅ１２３に表示される「●」印は、入力された数字を示す代わりに桁数を示す目的で使われる。入力ミスなどにより入力した数字を訂正する場合には、「訂正」キーを操作することにより、「訂正」キーを入力した数に応じて直近の入力が取り消され、取り消された桁数に応じて入力状態表示部Ｅ１２３に表示された「●」印が消去される。
そして、ユーザーは、電子棚札管理サーバ５０に予め登録されている認証コードに応じた所定の数字を入力し、入力状態表示Ｅ１２３にその桁数に応じた「●」印の数が表示されたことを確認すると、認証処理登録キーＥ１２４を操作して、認証処理を行う。
【００４２】
図８と図９に示した認証コード入力画面は、入力処理部１５２が、認証コード入力要求を検出し、表示処理部１５３が電子棚札１０のメモリ１４に予め記憶されている認証コード入力画面を参照して表示する。ここで、認証コード入力要求は、ＬＣＤ表示部１３に通常表示画面が表示されている状態で、タッチパネルなどの入力装置部１２に特定の入力信号を与えることであり、例えばタッチパネルなどに特定回数（３回など）タッチする、又はタッチパネルの特定の場所（４隅のいずれかなど）にタッチする等により、認証コード入力画面が表示される。
つまり、入力処理部１５２は、ユーザーの操作によって入力された入力データ（認証コード）を入力装置部１２が検出し、入力データとして入力された順に応じて検出した情報をメモリ１４に記録する。入力処理部１５２は、「訂正」キーの操作を検出すると、メモリ１４に記憶されている直近に記録された情報を消去する。入力処理部１５２は、入力データ（認証コード）がメモリ１４に記憶された状態で、認証処理登録キーＥ１２４の操作を検出すると、通信処理部１５１にメモリ１４に記憶された入力データ（認証コード）を、電子棚札管理サーバ５０に送信させる。電子棚札管理サーバ５０は、受信した入力データ（認証コード）について認証コードテーブルを参照し、登録されている認証コードとの比較を行って一致した場合には、次に要求する処理を許可し、一致しなかった場合には、認証失敗を電子棚札１０に通知する。
【００４３】
図１０は、電子棚札１０に表示するＥＳＬ操作画面を示す。
この図に示される画面Ｅ１３０は、電子棚札１０のＬＣＤ表示部１３に表示される画面であり、棚札として用いる場合の認証コード入力画面から切り換えられたＥＳＬ操作画面である。画面Ｅ１３０には、商品名称Ｅ１３１、操作要求キーＥ１３２、Ｅ１３３、Ｅ１３４、Ｅ１３５及び前画面要求キーＥ１３９が同一の画面内に配置される。
【００４４】
商品名称Ｅ１３１は、電子棚札１０に対応する商品の商品コードにしたがって生成され、この図では「オレンジジュース」が表示される。操作要求キーＥ１３２は、売上情報画面の表示を要求する「売上情報」キーが表示される。操作要求キーＥ１３３は、在庫情報の表示と発注処理を行う画面の表示を要求する「在庫・発注」キーが表示される。
操作要求キーＥ１３４とＥ１３５は、グループ化登録されている電子棚札１０があれば、グループ化された電子棚札１０を対象として、まとめて表示を切り換えることができる。これにより、個別に電子棚札１０の表示を切り換える作業をする場合より、まとめて切り換えることで作業性が向上する。操作要求キーＥ１３４は、売上情報画面の表示を要求する「売上（関連）」キーである。操作要求キーＥ１３５は、在庫情報の表示と発注処理を行う画面の表示を要求する「在庫（関連）」キーである。
操作要求キーＥ１３９は、切り換えられる前の画面に戻る操作を要求する「戻る」キーである。
つまり、電子棚札管理サーバ５０から受信した画面情報に基づいて、表示処理部１５３がＬＣＤ表示部１３に表示させた画面である。入力処理部１５２は、ユーザーの操作によって入力される各キーの操作を検出すると、入力されたキーの情報を電子棚札管理サーバ５０に対して、通信処理部１５３が送信する。電子棚札管理サーバ５０は、受信したキーの情報に応じた画面の生成を行って、電子棚札１０に送信する。
このような画面Ｅ１３０を用いることにより、各種情報を選択的に取得する入力表示画面をＬＣＤ表示部１３に表示可能となる。
【００４５】
図１１は、電子棚札１０に表示する売上表示画面を示す。
この図に示される画面Ｅ１４０は、電子棚札１０のＬＣＤ表示部１３に表示される画面であり、棚札として用いる場合のＥＳＬ操作画面から切り換えられた、売上表示画面である。画面Ｅ１４０には、商品名称Ｅ１４１、売上表Ｅ１４２及び前画面要求キーＥ１４９が同一の画面内に配置される。
商品名称Ｅ１４１は、電子棚札１０に対応する商品の商品コードにしたがって生成され、この図では「オレンジジュース」が示される。売上表Ｅ１４２には、商品テーブル、売上情報テーブルを参照して生成された過去３日間の販売価格、販売金額、販売個数が示される。前画面要求キーＥ１４９は、切り換えられる前の画面に戻る操作を要求する「戻る」キーが示される。
売上表示画面の生成では、電子棚札管理サーバ５０における表示画面生成部５６６が、記憶部５５に記憶された売上情報テーブルを参照して、対応する商品の売上情報に基づいて予め定められたテンプレートにしたがって生成する。制御部５６は、生成された画面の情報を、対応する電子棚札１０に送信する。
【００４６】
図１２は、電子棚札における処理を示すフローチャートである。
また、図１３は、電子棚札管理サーバにおける処理を示すフローチャートである。
電子棚札１０（大型電子棚札２０）（以下、「ＥＳＬ」という。）と電子棚札管理サーバ５０の処理について、関連付けながら説明する。
【００４７】
最初に、電子棚札管理サーバ５０からＥＳＬに通常表示画面（価格表示画面）を送信する。
電子棚札管理サーバ５０において、制御部５６は、登録対象として選定したＥＳＬに対し、記憶部５５に記憶されている商品テーブルを「商品コード」をキーとして参照するとともに、テンプレート画面情報に応じて価格表示画面を生成し、対象のＥＳＬに価格表示画面の情報を送信する（ステップＳｂ１１）。
【００４８】
ＥＳＬにおいて、ＣＰＵ１５は、送付された価格表示画面の情報を受信してメモリ１４に記録する（ステップＳａ１１）とともに、価格表示画面をＬＣＤ表示部１３に表示する（ステップＳａ１２）。
ＥＳＬにおいて、ＣＰＵ１５は、入力要求が入力されたことを検出する（ステップＳａ１３）。ＣＰＵ１５は、メモリ１４に記憶されている入力表示画面を参照し、ＬＣＤ表示部１３に認証コード入力画面を表示する（ステップＳａ１４）。ＣＰＵ１５は、入力装置部１２に入力された認証コードを検出し、メモリ１４に記録する（ステップＳａ１５）。ＣＰＵ１５は、入力装置部１２からの認証コードの入力完了を検出すると、メモリ１４に記録された認証コードを参照し、まとめて電子棚札管理サーバ５０に送信する（ステップＳａ１６）。
【００４９】
電子棚札管理サーバ５０において、制御部５６は、ＥＳＬから送付された認証コードを受信する（ステップＳｂ１６）。制御部５６は、記憶部５５に記憶されている認証コードテーブルを「認証コード」をキーとして参照して、登録されている認証コードとの一致するものがあるか否かを判定し、判定結果を記憶部５５に記録する（ステップＳｂ１７）。制御部５６は、認証コードの判定結果を認証要求のあったＥＳＬに対し送信する（ステップＳｂ１８）。制御部５６は、ステップＳｂ１７で行った判定結果を参照し、認証が失敗したか否かを判定し、認証失敗と判定した場合には、ステップＳｂ１１の処理に戻り、通常表示画面を生成する（ステップＳｂ１９）。
【００５０】
一方、認証要求を送付したＥＳＬにおいて、ＣＰＵ１５は、電子棚札管理サーバ５０からの認証結果を受信する（ステップＳａ１８）。ＣＰＵ１５は、受信した判定結果を参照し、認証が失敗したか否かを判定し、認証失敗と判定した場合には、ステップＳａ１１の処理に戻り、通常表示画面（価格表示画面）に切り替える（ステップＳａ１９）。
【００５１】
電子棚札管理サーバ５０において、制御部５６は、ステップＳｂ１９において認証成功と判定した場合には、ＥＳＬ操作画面を生成して、認証要求のあったＥＳＬに対してＥＳＬ操作画面の情報を送信する（ステップＳｂ２０）。
【００５２】
ＥＳＬにおいて、ＣＰＵ１５は、ステップＳａ１９において認証成功と判定した場合には、電子棚札管理サーバ５０からＥＳＬ操作画面の情報を受信し（ステップＳａ２０）、ＬＣＤ表示部１３にＥＳＬ操作画面を表示する（ステップＳａ２１）。ＣＰＵ１５は、入力装置部１２が検出した操作データを取得し（ステップＳａ２２）、取得した操作データを電子棚札管理サーバ５０に送信する（ステップＳａ２３）。
【００５３】
電子棚札管理サーバ５０において、制御部５６は、ＥＳＬから送付された操作データを受信して、記憶部５５に記録する（ステップＳｂ２３）。制御部５６は、受信した操作データに応じて、操作画面を生成する。ここで、操作データが、売上情報を要求する情報であった場合、制御部５６は、記憶部５５に記録されている売上情報テーブルを参照し売上表示画面を生成する（ステップＳｂ２４）。制御部５６は、生成した売上表示画面の情報をＥＳＬに送信する（ステップＳｂ２５）。
【００５４】
ＥＳＬにおいて、ＣＰＵ１５は、電子棚札管理サーバ５０から売上表示画面の情報を受信し（ステップＳａ２５）、ＬＣＤ表示部１３に売上表示画面を表示する（ステップＳａ２６）。
ＥＳＬ及び電子棚札管理サーバ５０は、価格表示画面の表示と売上表示画面への切り換え処理を終了する。
【００５５】
以上に示したように、電子棚札１０は、通常表示画面、認証コード入力画面、売上情報表示画面を切り替えて表示することにより、入力装置部１２に入力された認証コード（認証情報）と操作データ（表示指示情報）とを、ＣＰＵ１５が選択的に取得することが、本実施形態により示された。また、画面切替用リモコン装置を用いることなく、画面を切り替えが行えることが示された。さらに、認証コードの判定は電子棚札サーバ５０で実施することから、機密情報である認証コードテーブルはバックヤードに配置されている電子棚札サーバ５０側で保有し、電子棚札１０側で保有する必要がない。同様に、売上情報などの機密情報に関しても、一時的に電子棚札１０に表示されるだけで、常に電子棚札１０の盗難などによる、認証コードテーブルや売上情報などの機密情報漏洩の危険性をなくすことができる。
なお、設定された認証コード（認証情報）によって認証処理された結果から、許可された制御権の適用をどの電子棚札１０等に適用するかは、個々の電子棚札１０等ごとか、グループ化された電子棚札１０等のグループごとか、又は、全ての電子棚札１０等を一括とするかを選択して定めることができる。
また、同じ認証レベルに対応する複数のメンバー（例えば、同じ職種の人）が同一の認証コード（認証情報）を用いることにより、一意に識別される認証コードから認証レベルを識別できる。同じ認証コードを用いる複数のメンバーをグループ化して、そのグループに応じた権限の設定を行うこととしてもよい。
【００５６】
（第２実施形態）
第１実施形態に示した構成を用いて、電子棚札１０に別の情報を表示する実施形態を示す。図１から図１３と同じ構成には、同じ符号を付す。
【００５７】
図１４は、電子棚札１０に表示する在庫表示画面を示す。
この図に示される画面Ｅ１５０は、電子棚札１０のＬＣＤ表示部１３に表示される画面であり、棚札として用いる場合のＥＳＬ操作画面から切り換えられた、在庫表示画面である。画面Ｅ１５０には、商品名称Ｅ１５１、入力ボタン表示Ｅ１５２、発注数量入力状態表示部Ｅ１５３、発注処理登録キーＥ１５４、在庫状況表示Ｅ１５５及び前画面要求キーＥ１５９が同一の画面内に配置される。
【００５８】
商品名称Ｅ１５１は、電子棚札１０に対応する商品の商品コードにしたがって生成され、この図では「ぶどうジュース」が示される。入力ボタン表示Ｅ１５２は、テンキー（「０」〜「９」）と「訂正」キーが示される。発注数量入力状態表示部Ｅ１５３は、入力された発注数量が数字で示される。発注処理登録キーＥ１５４は、入力された発注数量で発注処理を行う「発注」キーが示される。在庫状況表示Ｅ１５５は、在庫数を示す。前画面要求キーＥ１５９は、切り換えられる前の画面に戻る操作を要求する「戻る」キーが示される。
【００５９】
在庫表示画面の生成では、電子棚札管理サーバ５０における表示画面生成部５６６が、記憶部５５に記憶された在庫情報テーブルを参照して、対応する商品の在庫情報に基づいて予め定められたテンプレートにしたがって生成する。制御部５６は、生成された画面の情報を、対応する電子棚札１０に送信する。
【００６０】
図１５は、電子棚札における処理を示すフローチャートである。
また、図１６は、電子棚札管理サーバにおける処理を示すフローチャートである。
先に示した図１２、図１３と認証コードによる認証が承認されるまでは同じ処理である。同じく、電子棚札１０（大型電子棚札２０）（以下、「ＥＳＬ」という。）と電子棚札管理サーバ５０の処理は、互いに関係することから、関連付けながら動作を説明する。
【００６１】
ＣＰＵ１５は、入力装置部１２が検出した操作データを取得し（ステップＳａ２２）、取得した操作データを電子棚札管理サーバ５０に送信する（ステップＳａ２３ａ）。
【００６２】
電子棚札管理サーバ５０において、制御部５６は、ＥＳＬから送付された操作データを受信して、記憶部５５に記録する（ステップＳｂ２３ａ）。制御部５６は、受信した操作データに応じて、操作画面を生成する。ここで、操作データが、在庫情報を要求する情報であった場合、制御部５６は、記憶部５５に登録されている在庫情報テーブルを参照し在庫表示画面を生成する（ステップＳｂ２４ａ）。制御部５６は、生成した在庫表示画面の情報をＥＳＬに送信する（ステップＳｂ２５ａ）。
【００６３】
ＥＳＬにおいて、ＣＰＵ１５は、電子棚札管理サーバ５０から在庫表示画面の情報を受信し（ステップＳａ２５ａ）、ＬＣＤ表示部１３に在庫表示画面を表示する（ステップＳａ２６ａ）。
ＣＰＵ１５は、入力装置部１２が検出した発注データを取得し（ステップＳａ２７ａ）、取得した発注データを電子棚札管理サーバ５０ａに送信する（ステップＳａ２８ａ）。
【００６４】
電子棚札管理サーバ５０において、制御部５６は、ＥＳＬから送付された発注データを受信して、記憶部５５に記録する（ステップＳｂ２８ａ）。制御部５６は、受信した発注データを、記憶部５５に登録する（ステップＳｂ２９ａ）。
ＣＰＵ１５は、入力装置部１２が検出した復帰要求を取得すると（ステップＳａ３０ａ）、通常表示の価格表示画面の表示に切り替える（ステップＳａ３１ａ）。
ＥＳＬ及び電子棚札管理サーバ５０は、価格表示画面の表示と在庫表示画面への切り換え処理を終了する。
以上に示したように、電子棚札１０が先に示した通常表示画面、認証コード入力画面、売上情報表示画面に加え、在庫表示画面を切り替えて表示することについて、本実施形態により示された。
【００６５】
（第３実施形態）
大型電子棚札２０における表示画面を示し、その切り換え動作を説明する。
図１から図１６までに示した同じ構成には同じ符号を付す。
図に示したフローチャートは、第１実施形態と第２実施形態に示したものを援用する。
【００６６】
図を参照し大型電子棚札２０に表示する表示画面の構成例を示す。
図１７は、大型電子棚札２０に表示する通常表示画面を示す。
この図に示される画面Ｅ２１０は、大型電子棚札２０のＬＣＤ表示部１３に表示される画面であり、棚札として用いる場合の通常表示画面である。画面Ｅ２１０には、商品名称Ｅ２１１−１からＥ２１１−３、単価情報Ｅ２１３−１からＥ２１３−３、説明情報Ｅ２１５−１からＥ２１５−３、見出しＥ２１８が同一の画面に配置される。
商品名称Ｅ２１１−１から２１１−３は、大型電子棚札２０に対応する商品の商品コードにしたがって生成され、この例では、それぞれ「オレンジジュース」、「ポテトチップス」、「ミルクチョコレート」が表示される。
単価情報Ｅ２１３−１から２１３−３は、それぞれ「１５８円」、「１７８円」、「２１５円」が表示される。説明情報Ｅ２１５−１からＥ２１５−３は、それぞれ「お一人様２本まで」、「１５％オフ」、「１０％オフ」が表示される。
この画面例では、３個の商品の情報を示し、それぞれが、商品名、販売価格、その商品の記事を示している。
【００６７】
大型電子棚札２０における通常表示画面の生成においても、電子棚札管理サーバ５０における表示画面生成部５６６が、大型電子棚札２０用の予め定められたテンプレートにしたがって、商品テーブルを参照して表示する商品の情報から画面Ｅ２１０を生成して、対応する大型電子棚札２０に送付する。
【００６８】
図１８は、大型電子棚札２０に表示する認証コード入力画面を示す。
この図に示される画面Ｅ２２０は、電子棚札１０のＬＣＤ表示部１３に表示される画面であり、棚札として用いる場合の通常表示画面から切り換えられた、認証コード入力画面である。画面Ｅ２２０には、状態表示Ｅ２２１、入力ボタン表示Ｅ２２２、入力状態表示部Ｅ２２３、及び認証処理登録キーＥ２２４が同一の画面内に配置される。
画面Ｅ２２０に示される、状態表示Ｅ２２１、入力ボタン表示Ｅ２２２、入力状態表示部Ｅ２２３、及び認証処理登録キーＥ２２４は、電子棚札１０における認証コード入力画面に対応し、それぞれ画面Ｅ１２０に示される見出しＥ１２１、入力ボタン表示Ｅ１２２、入力状態表示部Ｅ１２３、及び認証処理登録キーＥ１２４と同じ機能を定義する。
【００６９】
図１９は、大型電子棚札２０に表示する大型ＥＳＬ操作画面を示す。
この図に示される画面Ｅ２３０は、大型電子棚札２０のＬＣＤ表示部１３に表示される画面であり、棚札として用いる場合の認証コード入力画面から切り換えられたＥＳＬ操作画面である。画面Ｅ２３０には、分類表示Ｅ２３１−１、Ｅ２３２−２、操作要求キーＥ２３２、Ｅ２３３、Ｅ２３４、Ｅ２３５、Ｅ２３６、保守要求キーＥ２３７、見出し２３８及び前画面要求キーＥ２３９が同一の画面内に配置される。
【００７０】
分類表示Ｅ２３１−１とＥ２３１−２は、操作要求キーの分類を示す表示であり、この図では「売上表示」と「在庫表示」がそれぞれ表示される。
操作要求キーＥ２３２、Ｅ２３３、Ｅ２３４は、売上情報画面の表示を要求するキーが表示される。操作要求キーＥ２３２は、店舗の売上情報の表示を要求する「売上（店舗）」キーが表示される。操作要求キーＥ２３３は、生鮮品の売上情報の表示を要求する「売上（生鮮）」キーが表示される。操作要求キーＥ２３４は、総菜の売上情報の表示を要求する「売上（総菜）」キーが表示される。
操作要求キーＥ２３５、Ｅ２３６は、在庫情報の表示を要求するキーが表示される。
操作要求キーＥ２３５は、生鮮品の在庫情報の表示を要求する「在庫（生鮮）」キーが表示される。操作要求キーＥ２３６は、総菜の在庫情報の表示を要求する「在庫（総菜）」キーが表示される。
保守要求キーＥ２３７は、不具合が生じていることの通知を要求するキーが表示される。前画面要求キーＥ２３９は、切り換えられる前の画面に戻る操作を要求する「戻る」キーである。
つまり、画面Ｅ２３０は、電子棚札管理サーバ５０から受信した画面情報に基づいて、表示処理部１５３がＬＣＤ表示部１３に表示させた画面である。入力処理部１５２は、ユーザーの操作によって入力される各キーの操作を検出すると、入力されたキーの情報を電子棚札管理サーバ５０に送信させる。電子棚札管理サーバ５０は、受信したキーの情報に応じた画面の生成を行って、大型電子棚札２０に送信する。
【００７１】
図２０は、大型電子棚札２０に表示する売上表示画面を示す。
この図に示される画面Ｅ２４０は、大型電子棚札２０のＬＣＤ表示部１３に表示される画面であり、棚札として用いる場合の大型ＥＳＬ操作画面から切り換えられた、在庫表示画面である。画面Ｅ２４０には、見出しＥ２４１、売上表Ｅ２４２及び前画面要求キーＥ２４９が同一の画面内に配置される。
商品名称Ｅ２４１は、大型ＥＳＬ操作画面によって選択された表示内容を示す見出しが示される。この図では、要求により表示された生鮮品の売上情報の表示を示す「売上（生鮮）」が示される。
売上表Ｅ２４２には、商品情報テーブル、売上情報テーブルを参照して、種別で分類して集計処理された結果から生成された過去３日間の販売金額が示される。前画面要求キーＥ２４９は、切り換えられる前の画面に戻る操作を要求する「戻る」キーが示される。
売上表示画面の生成では、電子棚札管理サーバ５０における表示画面生成部５６６が、記憶部５５に記憶された売上情報テーブルを参照して、対応する商品の売上情報に基づいて予め定められたテンプレートにしたがって生成する。制御部５６は、生成された画面の情報を、対応する大型電子棚札２０に送信する。
【００７２】
大型電子棚札２０の表示切替の手順は、電子棚札１０の表示切替の手順に準じて行うことができる。
以上に示したように、大型電子棚札２０が、通常表示画面、認証コード入力画面、売上情報表示画面を切り替えて表示することについて、本実施形態により示された。
【００７３】
（第４実施形態）
電子棚札１０及び大型電子棚札２０からの表示切替の認証処理において異なる方法について示す。
前述の実施形態に示した、認証コードテーブルに代えて、従業員認証テーブルを用いる。本実施形態に示す認証方法では、従業員ごとに認証条件の設定を行うことが可能となる。従業員は、一意に識別される従業員番号によって特定できるものとして、以下説明を行う。
【００７４】
図２１は、記憶部５５に記憶される情報に含まれる従業員認証テーブルのデータ構成及びデータ例を示す概略図である。
図に示すように、従業員認証テーブルは、行と列からなる２次元の表形式のデータであり、「従業員番号」、「認証コード」及び「認証レベル」の各項目の列を有している。この従業員認証テーブルの主キーは、従業員番号である。従業員認証テーブルの各行は、登録された従業員番号ごとに存在する。「従業員番号」は、従業員を一意に識別する情報である。「認証コード」は、従業員ごとに割り当てた認証処理に用いる番号である。「認証レベル」は、登録されている情報への参照を許可するレベルを示し、ここでは３つのレベルを設定する。その3つのレベルは、「Ｈ」が、最も重要なレベルとし、「Ｍ」が、中間のレベルとし、「Ｌ」が最も低いレベルとする。
例えば、「従業員番号（９０００１２）」の人は、「認証コード（１２３４５６）」を利用することを許可され、許可された認証コードを示すことにより、その人の識別が行われる。この図は、「認証コード（１２３４５６）」を指定した人の認証レベルを「認証レベル（Ｈ）」として判定することを示す。
【００７５】
本実施形態では、前述の処理手順における「認証コードテーブル」を「従業員認証テーブル」に読み替えることにより適用可能である。これにより、一意に特定できる従業員番号などを主キーとする認証情報を用いることにより、各個人を特定する認証処理を行うことができる。その認証情報は、生体認証処理を行うための情報とすることもできる。
【００７６】
（第５実施形態）
本実施形態では、倉庫における物品管理に応用した場合の適用例を情報表示システム１ａとして示す。
本実施形態における情報表示システム１ａは、図１に示した情報表示システム１から、ＰＯＳレジスター装置（ＰＯＳレジ）７０が接続されたストアサーバ６０の代わりに、物品管理サーバを用いる形態とする。物品管理サーバは、商品の単品管理情報として、それぞれの受注情報、在庫情報、発送情報を含んだ情報を管理し、各顧客から受注した商品をリアルタイムに把握する。
図１に示した構成と同じ構成については、同じ符号を付し、同様の構成については、符号に「ａ」を添えて示すこととする。
情報表示システム１ａは、複数の電子棚札１０ａ、大型電子棚札２０ａ、中継器３０、無線ＬＡＮアクセスポイント４０及び電子棚札管理サーバ５０ａを備える。
複数の電子棚札１０ａ及び大型電子棚札２０ａなどによってグループ化することも可能である。
電子棚札１０ａ及び大型電子棚札２０ａの概略構成は、図２を参照する。
電子棚札管理サーバ５０ａの概略構成は、図３を援用する。
また、認証処理、操作権の判定に関する処理も先に示した実施形態と同様な手順で行うことができ、説明を省略し、認証後の表示切替を中心に説明する。
【００７７】
電子棚札管理サーバ５０ａにおける記憶部５５ａに記憶される情報について説明する。
記憶部５５ａに記憶される情報に含まれる在庫情報テーブルのデータ構成及びデータ例を示す。本実施形態による在庫情報テーブルは、倉庫で管理する物品についての在庫情報を管理する。
在庫情報テーブルは、行と列からなる２次元の表形式のデータであり、「商品コード」、「商品名称」及び「在庫数量」の各項目の列を有している。この在庫情報テーブルの主キーは、商品コードである。在庫情報テーブルの各行は、管理する商品ごとに存在する。「商品コード」は、商品を一意に識別するための情報である。「在庫数量」は、商品の在庫数である。
また、記憶部５５ａに記憶される情報に含まれる作業指示テーブルのデータ構成及びデータ例を示す。本実施形態による作業指示テーブルは、倉庫で管理する物品についての取得順を示す作業手順を管理する。
作業指示テーブルは、行と列からなる２次元の表形式のデータであり、「作業番号」、「商品コード」、「商品名称」及び「取得数量」の各項目の列を有している。この作業指示テーブルの主キーは、商品コードである。作業指示テーブルの各行は、管理する商品を取得する作業を示す作業番号ごとに存在する。「作業番号」は、商品を取得する作業の順序を示し、「商品コード」は、商品を一意に識別するための情報である。「取得数量」は、指定された商品の取得作業における取得数である。
【００７８】
図を参照し電子棚札１０ａに表示する表示画面の構成例を示す。
図２２は、電子棚札１０ａに表示する通常表示画面を示す。
この図に示される画面Ｅ３１０は、電子棚札１０ａのＬＣＤ表示部１３に表示される画面であり、棚札として用いる場合の通常表示画面である。画面Ｅ３１０には、商品名称Ｅ３１１、取り個数情報Ｅ３１２、在庫情報Ｅ３１３、処理完了キーＥ３１９が同一の画面に配置される。
商品名称Ｅ３１１は、電子棚札１０ａに対応する商品の商品コードにしたがって生成され、この例では「丸小ねじ（Ｍ５ｘ２０）」が表示される。取り個数情報Ｅ３１２は、次の作業で棚から取り出す商品の個数を示す。在庫情報Ｅ３１３は、残数が示され、「４７残」が表示される。処理完了キーＥ３１９は、指定されたパーツのピッキング処理を通知するキーが示され、「完了」が表示される。
通常表示画面の生成では、電子棚札管理サーバ５０ａにおける表示画面生成部５６６が、記憶部５５に記憶された在庫情報テーブル、作業指示テーブルを参照して、登録されている電子棚札１０ａごとの画面Ｅ３１０を予め定められたテンプレートにしたがって生成する。制御部５６ａは、生成された画面の情報を、対応する電子棚札１０ａ送信する。
【００７９】
図２３は、電子棚札１０ａに表示する在庫数量入力画面を示す。
この図に示される画面Ｅ３２０は、電子棚札１０ａのＬＣＤ表示部１３に表示される棚卸し表示画面である。画面Ｅ３２０には、商品名称Ｅ３２１、入力ボタン表示Ｅ３２２、在庫数量入力状態表示部Ｅ３２３、在庫数量登録キーＥ３２４、在庫確認処理表示Ｅ３２５及び前画面要求キーＥ３２９が同一の画面内に配置される。
【００８０】
商品名称Ｅ３２１は、電子棚札１０に対応する商品の商品コードにしたがって生成され、この図では「丸小ねじ（Ｍ５ｘ２０）」が示される。入力ボタン表示Ｅ３２２は、テンキー（「０」〜「９」）と「訂正」キーが示される。在庫数量入力状態表示部Ｅ３２３は、入力された在庫数量が数字で示される。在庫数量登録キーＥ３２４は、入力された在庫数量の登録処理を行う「入力」キーが示される。在庫数量登録表示Ｅ３２５は、在庫数量の登録処理を行う動作モードであること示す。前画面要求キーＥ３２９は、切り換えられる前の画面に戻る操作を要求する「戻る」キーが示される。
【００８１】
在庫数量入力画面の生成では、電子棚札管理サーバ５０ａにおける表示画面生成部５６６が、記憶部５５ａに記憶された在庫情報テーブルを参照して、対応する商品の在庫情報に基づいて予め定められたテンプレートにしたがって生成する。制御部５６は、生成された画面の情報を、対応する電子棚札１０ａに送信する。
【００８２】
図２４は、電子棚札１０ａに表示する発注作業画面を示す。
この図に示される画面Ｅ３３０は、電子棚札１０ａのＬＣＤ表示部１３に表示される棚卸し表示画面である。画面Ｅ３３０には、商品名称Ｅ３３１、入力ボタン表示Ｅ３３２、発注数量入力状態表示部Ｅ３３３、発注数量登録キーＥ３３４、在庫数量表示Ｅ３３５及び前画面要求キーＥ３３９が同一の画面内に配置される。
【００８３】
商品名称Ｅ３３１は、電子棚札１０に対応する商品の商品コードにしたがって生成され、この図では「丸小ねじ（Ｍ５ｘ２０）」が示される。入力ボタン表示Ｅ３３２は、テンキー（「０」〜「９」）と「訂正」キーが示される。発注数量入力状態表示部Ｅ３３３は、入力された発注数量が数字で示される。発注数量登録キーＥ３３４は、入力された発注数量の登録処理を行う「発注」キーが示される。在庫数量表示Ｅ３３５は、在庫数量を示す。前画面要求キーＥ３３９は、切リ換えられる前の画面に戻る操作を要求する「戻る」キーが示される。
【００８４】
発注作業画面の生成では、電子棚札管理サーバ５０ａにおける表示画面生成部５６６が、記憶部５５ａに記憶された在庫情報テーブルを参照して、対応する商品の在庫情報に基づいて予め定められたテンプレートにしたがって生成する。制御部５６は、生成された画面の情報を、対応する電子棚札１０ａに送信する。
【００８５】
図２５は、大型電子棚札２０ａに表示する通常表示画面を示す。
この図に示される画面Ｅ３４０は、大型電子棚札２０のＬＣＤ表示部１３に表示される通常表示画面である。画面Ｅ３４０には、配置表示Ｅ３４１、対象位置表示Ｅ３４２−１、Ｅ３４２−２、見出しＥ３４８が同一の画面内に配置される。
配置表示Ｅ３４１は、倉庫全体の見取り図を示し、部品を取り出す棚位置に対応した枠を単位として示される。
対象位置表示Ｅ３４２−１、Ｅ３４２−２は、次に取り出す部品の位置と数量を示す。取り出す位置は、部品を取り出さない枠の表示と異なる色で示される。
見出しＥ３４８は、表示している画面の見出しであり、この図では、通常表示である部品取り出し表示画面の見出しとして「部品取り出し」が示される。
売上表示画面の生成では、電子棚札管理サーバ５０ａにおける表示画面生成部５６６が、記憶部５５に記憶された在庫情報テーブルと作業指示テーブルを参照して、対応する商品を取得する作業番号の情報に基づいて予め定められたテンプレートにしたがって生成する。制御部５６は、生成された画面の情報を、対応する大型電子棚札２０ａに送信する。
大型電子棚札２０ａの表示は、電子棚札１０ａの操作により、順次切り換えられる。
【００８６】
なお、本実施形態における電子棚札１０は、ユーザーの操作に応じて入力された情報を取得して通信回線を通じて通知する。電子棚札管理サーバ５０は、通知された情報に応じて、電子棚札１０に表示させる表示情報を生成する。また、電子棚札管理サーバ５０は、情報表示装置が取得した情報を、自装置が行う少なくとも１つの処理を制御する制御権に対応する認証情報として判定するとともに、その認証情報に基づいて許可される制御権に応じて情報表示装置に表示する表示情報を生成する。
これにより、情報を表示する情報表示装置が配置される場所で、他の装置を用いずに表示する情報を切り換えることができる。
【００８７】
また、電子棚札管理サーバ５０は、電子棚札１０が取得した情報を、表示情報を生成する表示指示情報として判定するとともに、表示指示情報に応じて電子棚札１０に送付する表示情報を生成する。
これにより、電子棚札１０が取得した情報に応じて、電子棚札１０に表示する情報を電子棚札管理サーバ５０が生成することができ、他の装置を用いずに電子棚札１０に表示する情報を切り換えることができる。
【００８８】
また、電子棚札１０は、入力装置部１２が、認証情報と表示指示情報とを選択的に取得する。
これにより、入力装置部１２は、認証情報と表示指示情報を取得することができ、取得した表示指示情報に応じて表示する情報を選択することができ、他の装置を用いずに電子棚札１０に表示する情報を切り換えることができる。
【００８９】
また、電子棚札１０は、ＬＣＤ表示部１３が、文字情報、数値情報、及び、文字情報又は数値情報に対応した識別図形を表示する画面と、ユーザーの操作に応じて入力された情報を取得するための入力表示画面とを切り換えて表示する。
これにより、電子棚札１０は、ＬＣＤ表示部１３に表示する画面を使い分けることにより、情報表示を行う画面と情報入力を行う入力表示画面とを選択できることから、他の装置を用いずに電子棚札１０に表示する情報を切り換えることができる。
【００９０】
また、電子棚札１０は、ユーザーの操作に応じて入力された認証情報と前記表示指示情報とを選択的に取得するための画面を表示部に表示する。
これにより、電子棚札１０は、情報を選択的に取得する画面を表示して、選択入力を受け付けることができ、他の装置を用いずに電子棚札１０に表示する情報を切り換えることができる。
【００９１】
また、電子棚札１０が取得した情報は、電子棚札管理サーバ５０が行う処理を許可するか否かを判定する認証情報とする。
これにより、電子棚札１０からの操作において、電子棚札管理サーバ５０への認証処理を行うことができ、電子棚札管理サーバ５０に保持される情報の秘匿性を確保し、不要な制御要求を拒否することが可能となる。
また、制御権の適用は、電子棚札１０ごとか、グループ化された電子棚札１０のグループごとか、又は、全ての電子棚札１０を一括とするかを選択して定められることにより、一度行う認証処理で複数の電子棚札１０の表示を切り換えることができ、その際の電子棚札１０の選択範囲を予めグループ化することができる。
また、電子棚札管理サーバ５０は、グループ化された電子棚札１０に表示する画面を、表示指示情報に応じてまとめて切り換えることができる。
【００９２】
なお、本発明は、上記の各実施形態に限定されるものではなく、本発明の趣旨を逸脱しない範囲で変更可能である。
なお、上記の実施形態では、スーパーマーケットやコンビニエンスストア等の小売店の棚に付ける電子棚札１０として説明したが、本発明は、電子棚札に限られるものではなく、小売店で販売される商品等の情報以外の情報を表示する情報表示装置として用いてもよい。
例えば、倉庫等において、保管物を保管しておく棚や、保管物を収めた箱や、保管物自体に付けて、その保管物の内容について電子的に情報を表示するラベルや札として用いてもよい。
【００９３】
また、銀行等の書類を扱う業務において、用紙置き場に配置し、用紙の説明や残り枚数を表示する表示装置として用いてもよい。また、さらに、工場等において、作業員への作業指示を表示するパネルや部品を置く棚に付けて、部品の分類等の情報を電子的に表示するラベルや札として用いてもよい。
【００９４】
上述の電子棚札管理サーバ５０、電子棚札１０、大型電子棚札２０は内部に、コンピュータシステムを有している。そして、上述した情報表示システムにおける電子棚札１０、大型電子棚札２０に表示する情報を変更する処理過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【符号の説明】
【００９５】
１  情報表示システム
１０  電子棚札
２０  大型電子棚札
３０  中継器
４０  無線ＬＡＮアクセスポイント
５０  電子棚札管理サーバ
６０  ストアサーバ
７０  ＰＯＳレジスター装置（ＰＯＳレジ）
【図１】
2011086257.tif 000003
【図２】
2011086257.tif 000004
【図３】
2011086257.tif 000005
【図４】
2011086257.tif 000006
【図５】
2011086257.tif 000007
【図６】
2011086257.tif 000008
【図７】
2011086257.tif 000009
【図８】
2011086257.tif 000010
【図９】
2011086257.tif 000011
【図１０】
2011086257.tif 000012
【図１１】
2011086257.tif 000013
【図１２】
2011086257.tif 000014
【図１３】
2011086257.tif 000015
【図１４】
2011086257.tif 000016
【図１５】
2011086257.tif 000017
【図１６】
2011086257.tif 000018
【図１７】
2011086257.tif 000019
【図１８】
2011086257.tif 000020
【図１９】
2011086257.tif 000021
【図２０】
2011086257.tif 000022
【図２１】
2011086257.tif 000023
【図２２】
2011086257.tif 000024
【図２３】
2011086257.tif 000025
【図２４】
2011086257.tif 000026
【図２５】
2011086257.tif 000027